(57)【特許請求の範囲】
【請求項１】
第１姿勢から第２姿勢に姿勢変位可能な第１可動演出装置と、第３姿勢から第４姿勢に姿勢変位可能な第２可動演出装置とを備えた遊技機であって、
前記第１可動演出装置は、前記第２可動演出装置の移動領域内を通過することなく姿勢変位する第１可動演出部材と、前記第１可動演出部材に姿勢変位可能に配設され、前記移動領域内を通過するように姿勢変位する第２可動演出部材とを備え、前記第１姿勢および第２姿勢において前記移動領域から外れた位置に前記第２可動演出部材を退避させ、前記第１姿勢と第２姿勢との間の中間姿勢において当該第２可動演出部材を前記移動領域まで姿勢変位させるよう構成され、
前記第１可動演出装置を前記第２姿勢に変位させると共に第２可動演出装置を前記第４姿勢に姿勢変位させる際には、該第１可動演出装置を前記移動領域から退避させた後に該第２可動演出装置を第４姿勢へ到来させるよう構成された
ことを特徴とする遊技機。
【請求項２】
第１姿勢から第２姿勢に姿勢変位可能な第１可動演出装置と、第３姿勢から第４姿勢に姿勢変位可能な第２可動演出装置とを備えた遊技機であって、
前記第１可動演出装置は、該第１可動演出装置の前記第１姿勢と第２姿勢との間の中間姿勢において、前記第４姿勢に姿勢変位した前記第２可動演出装置の移動領域内まで延出すると共に、前記第２姿勢においては前記移動領域から外れた位置に退避するよう構成され、
前記第１可動演出装置を前記第２姿勢に変位させると共に第２可動演出装置を前記第４姿勢に姿勢変位させる際には、該第１可動演出装置を前記移動領域から退避させた後に該第２可動演出装置を第４姿勢へ到来させるよう構成され、
前記第１可動演出装置および第２可動演出装置は、遊技盤の遊技領域内に設けられて図柄表示装置の表示部が臨む遊技演出領域へ姿勢変位可能に設けられた
ことを特徴とする遊技機。
【請求項３】
前記第１可動演出部材は、駆動手段の駆動により、前記第１姿勢に対応する第１位置および前記第２姿勢に対応する第２位置に姿勢変位し、
前記第２可動演出部材は、前記第１可動演出部材と連結されると共に、該第１可動演出部材とは異なる態様で前記第１姿勢に対応する通常位置および前記第２姿勢に対応する移動位置に姿勢変位する連係部材と連結され、該第１可動演出部材の姿勢変位と該連係部材の姿勢変位との差動により、前記第１姿勢に対応した第３位置および前記第２姿勢に対応する第４位置に姿勢変位する請求項１または２記載の遊技機。
【請求項４】
前記第１可動演出部材は、前記第１位置と第２位置との間を直線的にスライド移動しながら姿勢変位し、
前記第２可動演出部材は、支持部により前記第１可動演出部材に対して回転自在に連結されると共に、該支持部から間隔をおいて設けられた連結部により前記連係部材に連結され、
前記第１可動演出部材の姿勢変位および前記連係部材の姿勢変位に伴い前記支持部に対して前記連結部が移動することで、前記第２可動演出部材が該第１可動演出部材に対して回転しながら前記第３位置と第４位置との間を姿勢変位するよう構成した請求項１〜３の何れか一項に記載の遊技機。
【請求項５】
前記連係部材は、前記基準位置と移動位置との間を直線的なスライド移動が自在に配設されると共に、該スライド移動方向と交差する方向へ延在する被連係部を備え、
前記第１可動演出部材には、該第１可動演出部材の姿勢変位に連動して回転する回転部材が配設され、
前記回転部材は、前記連係部材の被連係部に係合する連係部が、該回転部材の回転中心から偏倚した位置に設けられ、
前記第１可動演出部材の姿勢変位に連動した前記回転部材の回転により、前記連係部が前記第１可動演出部材の第１位置から第２位置への移動方向と反対方向へ凸となる円弧状に移動することで、前記基準位置から移動位置に変位する間に前記連係部材が該第１可動演出部材に対して往復移動すると共に、前記第２可動演出部材が該第１可動演出部材に対して往復回転するよう構成した請求項１〜４の何れか一項に記載の遊技機。
【発明の詳細な説明】
【技術分野】
【０００１】
本発明は、第１姿勢から第２姿勢に姿勢変位可能な第１可動演出装置と、第３姿勢から第４姿勢に姿勢変位可能な第２可動演出装置とを備えた遊技機に関するものである。
【背景技術】
【０００２】
パチンコ機等に代表される遊技機は、外枠に組み付けられる中枠と、裏側に設置部材が配設されて前記中枠に取り付けられる遊技盤と、前記中枠の前側に組み付けられる前枠等を備えている。前記遊技盤には、その前面に遊技領域が画成されて各種入賞装置が配設されると共に、前記設置部材に取り付けた図柄表示装置、装飾部材および可動演出装置等が、遊技領域に設けた開口を介して該遊技領域に臨んでいる。すなわち、遊技盤の遊技領域内には、前記図柄表示装置の表示部が臨むと共に可動演出装置等が配設された遊技演出領域が画成されている。前記可動演出装置は、図柄表示装置の表示部を囲む上下や左右等に複数が配設され、該図柄表示装置における遊技内容に応じて姿勢変位することで演出効果を高めるようになっている。各可動演出装置は、モータ等の駆動手段や、この駆動手段により姿勢変位が可能な可動部材等を備え、駆動手段の駆動により、前記図柄表示装置の表示部の前側で該可動部材を姿勢変位させるよう構成されている。このような可動演出装置は、特許文献１に開示されている。
【先行技術文献】
【特許文献】
【０００３】
【特許文献１】特開２０１１−５５９４７号公報
【発明の概要】
【発明が解決しようとする課題】
【０００４】
前記特許文献１には、遊技盤における画像表示装置の右方に、第一可動体を備えた第一可動演出部が配設されると共に、該画像表示装置の上方に、第二可動体を備えた第二可動演出部が配設されており、第一可動体および第二可動体が画像表示装置の前方へ姿勢変位可能となっている。しかしながら、特許文献１の第一可動演出部および第二可動演出部は、第一可動体および第二可動体が画像表示装置の前方へ同時に姿勢変位すると互いに衝突する位置関係になっており、第一可動体および第二可動体を同時に姿勢変位させることができないので、高い演出効果が得られない課題がある。また、第一可動体および第二可動体を同時に姿勢変位させた際に互いに衝突しないように設定した場合には、これら第一可動体および第二可動体の姿勢変位時のストローク量が小さくなるため、やはり高い演出効果が得られない。
【０００５】
そこで本発明は、前述した課題を解決するために案出されたものであって、複数の可動演出装置により高い演出効果が得られるようにした遊技機を提供することを目的とする。
【０００６】
前記課題を解決するために、本願の請求項１に記載の発明は、
第１姿勢から第２姿勢に姿勢変位可能な第１可動演出装置(DU1)と、第３姿勢から第４姿勢に姿勢変位可能な第２可動演出装置(DU2)とを備えた遊技機であって、
前記第１可動演出装置(DU1)は、前記第２可動演出装置(DU2)の移動領域(S)内を通過することなく姿勢変位する第１可動演出部材(50)と、前記第１可動演出部材(50)に姿勢変位可能に配設され、前記移動領域(S)内を通過するように姿勢変位する第２可動演出部材(51)とを備え、前記第１姿勢および第２姿勢において前記移動領域(S)から外れた位置に前記第２可動演出部材(51)を退避させ、前記第１姿勢と第２姿勢との間の中間姿勢において前記第２可動演出部材(51)を前記移動領域(S)まで姿勢変位させるよう構成され、
前記第１可動演出装置(DU1)を前記第２姿勢に変位させると共に第２可動演出装置(DU2)を前記第４姿勢に姿勢変位させる際には、該第１可動演出装置(DU1)を前記移動領域(S)から退避させた後に該第２可動演出装置(DU2)を第４姿勢へ到来させるよう構成されたことを要旨とする。
【０００７】
従って、請求項１に係る発明によれば、第１可動演出装置を第２可動演出装置とオーバーラップする位置まで移動させ得ると共に、第２可動演出装置も第１可動演出装置とオーバーラップする位置まで移動させ得るから、両可動演出装置のストローク量を大きく設定できて高い演出効果を得ることができる。また、ストローク量を大きく設定した第１可動演出装置を第２姿勢へ姿勢変位させると共に第２可動演出装置を第４姿勢へ姿勢変位させることもできるので、更に演出効果を高めることができる。
また、第１可動演出装置は、第２可動演出装置の移動領域とオーバーラップする位置まで姿勢変位する第２本体部材を備えているので、該第１可動演出装置の第１本体部材および第２本体部材の両方を姿勢変位することで高い演出効果が得られる。
【０００８】
前記課題を解決するために、本願の請求項２に記載の発明では、
第１姿勢から第２姿勢に姿勢変位可能な第１可動演出装置(DU1)と、第３姿勢から第４姿勢に姿勢変位可能な第２可動演出装置(DU2)とを備えた遊技機であって、
前記第１可動演出装置(DU1)は、該第１可動演出装置(DU1)の前記第１姿勢と第２姿勢との間の中間姿勢において、前記第４姿勢に姿勢変位した前記第２可動演出装置(DU2)の移動領域(S)内まで延出すると共に、前記第２姿勢においては前記移動領域(S)から外れた位置に退避するよう構成され、
前記第１可動演出装置(DU1)を前記第２姿勢に変位させると共に第２可動演出装置(DU2)を前記第４姿勢に姿勢変位させる際には、該第１可動演出装置(DU1)を前記移動領域(S)から退避させた後に該第２可動演出装置(DU2)を第４姿勢へ到来させるよう構成され、
前記第１可動演出装置(DU1)および第２可動演出装置(DU2)は、遊技盤(A)の遊技領域内に設けられて図柄表示装置(H)の表示部(H1)が臨む遊技演出領域(34A)へ姿勢変位可能に設けられたことを要旨とする。
従って、請求項２に係る発明によれば、第１可動演出装置を第２可動演出装置とオーバーラップする位置まで移動させ得ると共に、第２可動演出装置も第１可動演出装置とオーバーラップする位置まで移動させ得るから、両可動演出装置のストローク量を大きく設定できて高い演出効果を得ることができる。また、ストローク量を大きく設定した第１可動演出装置を第２姿勢へ姿勢変位させると共に第２可動演出装置を第４姿勢へ姿勢変位させることもできるので、更に演出効果を高めることができる。
また、第１可動演出装置および第２可動演出装置が図柄表示装置の表示部が臨む遊技演出領域へ姿勢変位可能に設けられているので、該表示部の前側において第１可動演出装置および第２可動演出装置を作動させることで、表示部での遊技内容に合わせた効果的な演出がなされる。
【０００９】
請求項３に記載の発明では、
前記第１可動演出部材(50)は、駆動手段(53)の駆動により、前記第１姿勢に対応する第１位置および前記第２姿勢に対応する第２位置に姿勢変位し、
前記第２可動演出部材(51)は、前記第１可動演出部材(50)と連結されると共に、該第１可動演出部材(50)とは異なる態様で前記第１姿勢に対応する通常位置および前記第２姿勢に対応する移動位置に姿勢変位する連係部材(54)と連結され、該第１可動演出部材(50)の姿勢変位と該連係部材(54)の姿勢変位との差動により、前記第１姿勢に対応した第３位置および前記第２姿勢に対応する第４位置に姿勢変位することを要旨とする。
従って、請求項３に係る発明によれば、１つの駆動手段により第１本体部材を姿勢変位させると、該第１本体部材の姿勢変位と連係部材の姿勢変位との差動により第２本体部材が該第１本体部材と異なる動きをするようになり、可動演出装置の動作が複雑になって高い演出効果を得ることができる。
【００１０】
請求項４に記載の発明では、
前記第１可動演出部材(50)は、前記第１位置と第２位置との間を直線的にスライド移動しながら姿勢変位し、
前記第２可動演出部材(51)は、支持部(79)により前記第１可動演出部材(50)に対して回転自在に連結されると共に、該支持部(79)から間隔をおいて設けられた連結部(98)により前記連係部材(54)に連結され、
前記第１可動演出部材(50)の姿勢変位および前記連係部材(54)の姿勢変位に伴い前記支持部(79)に対して前記連結部(98)が移動することで、前記第２可動演出部材(51)が該第１可動演出部材(50)に対して回転しながら前記第３位置と第４位置との間を姿勢変位するよう構成したことを要旨とする。
従って、請求項４に係る発明によれば、第１本体部材の直線的な姿勢変位および連係部材の姿勢変位に伴い、第１本体部材と第２本体部材とを連結する支持部に対して第２本体部材と連係部材とを連結する連結部が移動することで、第１本体部材に回転自在に連結された第２本体部材が、該第１本体部材に対して回転しながら姿勢変位するようになる。すなわち、第１本体部材が直線的にスライド移動して姿勢変位するのに対し、第２本体部材は該第１本体部材に対して回転して姿勢変位するので、第１本体部材と第２本体部材との姿勢変位の態様が異なって演出効果を高めることができる。
【００１１】
請求項５に記載の発明では、
前記連係部材(54)は、前記基準位置と移動位置との間を直線的なスライド移動が自在に配設されると共に、該スライド移動方向と交差する方向へ延在する被連係部(86)を備え、
前記第１可動演出部材(50)には、該第１可動演出部材(50)の姿勢変位に連動して回転する回転部材(55)が配設され、
前記回転部材(55)は、前記連係部材(54)の被連係部(86)に係合する連係部(93)が、該回転部材(55)の回転中心から偏倚した位置に設けられ、
前記第１可動演出部材(50)の姿勢変位に連動した前記回転部材(55)の回転により、前記連係部(93)が前記第１可動演出部材(50)の第１位置から第２位置への移動方向と反対方向へ凸となる円弧状に移動することで、前記基準位置から移動位置に変位する間に前記連係部材(54)が該第１可動演出部材(50)に対して往復移動すると共に、前記第２可動演出部材(51)が該第１可動演出部材(50)に対して往復回転するよう構成したことを要旨とする。
従って、請求項５に係る発明によれば、第１本体部材の姿勢変位に連動して回転部材が回転することで、連係部が第１本体部材の第１位置から第２位置への移動方向と反対方向へ凸となる円弧状に移動するから、連係部材が該第１本体部材に対して往復移動するようになり、第２本体部材を第１本体部材に対して往復回転させることができる。これにより、第２本体部材が往復移動するので、該第２本体部材の姿勢変位量が大きくなって、演出効果が高められる。
【発明の効果】
【００１３】
本願発明に係る遊技機によれば、複数の可動演出装置の姿勢変位時のストローク量を大きく設定できるので、これら可動演出装置により高い演出効果が得られる。
【図面の簡単な説明】
【００１４】
【図１】実施例のパチンコ機の正面図である。
【図２】実施例のパチンコ機における遊技盤の正面図であって、第１可動演出装置が第２姿勢にあり、第２可動演出装置が第４姿勢にある状態を示している。
【図３】遊技盤と、第１可動演出装置および第２可動演出装置が配設された設置部材とを示す斜視図である。
【図４】(ａ)は、第１姿勢における第１可動演出装置の正面図であり、(ｂ)は、第１姿勢における第１可動演出装置の背面図である。
【図５】第１可動演出装置を前側から見た分解斜視図である。
【図６】第１可動演出装置を後側から見た分解斜視図である。
【図７】ベース部材および支持部材を透視した状態で示す第１姿勢の第１可動演出装置の背面図である。
【図８】図７のVIII-VIII線断面図である。
【図９】ベース部材および支持部材を透視した状態で示す中間姿勢の第１可動演出装置の背面図である。
【図１０】図９のＸ-Ｘ線断面図である。
【図１１】ベース部材および支持部材を透視した状態で示す第２姿勢の第１可動演出装置の背面図である。
【図１２】図１１のXII-XII線断面図である。
【図１３】第２可動演出装置の正面図である。
【図１４】第２可動演出装置の背面図である。
【図１５】第３姿勢の第２可動演出装置の正面図である。
【図１６】第４姿勢の第２可動演出装置の正面図である。
【図１７】中間姿勢の第１可動演出装置における第２可動演出部材と、第４姿勢の第２可動演出装置の移動領域との関係を示す説明図である。
【図１８】図２のＹ-Ｙ線断面図である。
【発明を実施するための形態】
【００１５】
次に、本発明に係る遊技機につき、好適な実施例を挙げて、添付図面を参照しながら、以下詳細に説明する。なお実施例では、遊技機として、パチンコ球を遊技媒体として使用する一般的なパチンコ機を例にして説明する。また、以下の説明において、「前」、「後」、「左」、「右」とは、外枠Ａに対して中枠Ｂを閉じた状態において、パチンコ機Ｐを正面(遊技者側)から見た状態を基準として指称する。
【実施例】
【００１６】
先ず、実施例に係るパチンコ機Ｐの概略構成について、図１を参照して説明する。パチンコ機Ｐは、矩形枠状に形成されて遊技店に設けられた「島」とも称される設置枠台(図示せず)に縦向きに設置される固定枠としての外枠Ａと、該外枠Ａに対してヒンジ部材２１を介して着脱および開閉可能に枢支された本体枠としての中枠Ｂと、該中枠Ｂに着脱交換可能に取り付けられて所要の遊技領域３０が画成される遊技盤Ｄと、ヒンジ部材２４を介して中枠Ｂの前面側に着脱および開閉可能に枢支され、中枠Ｂに配設した遊技盤Ｄを透視保護する透明板２６が配設される装飾枠としての前枠Ｃとを備えている。前記前枠Ｃには、遊技盤Ｄの遊技領域３０と同等の開口サイズの開口部２５が形成されて、該開口部２５に臨むように前記透明板２６が組み付けられると共に、前記透明板２６が配設される部位の下方位置にパチンコ球を貯留可能な上球皿Ｅが組み付けられており、前枠Ｃの開閉に合わせて該上球皿Ｅが一体的に開閉するようになっている。また、前記中枠Ｂの前側における前記前枠Ｃの下方には、パチンコ球を貯留可能な下球皿Ｆを形成した球皿部材２２が着脱および開閉可能に組み付けられている。そして、前記中枠Ｂにおける球皿部材２２の右方位置には操作ハンドルＧが設けられており、該操作ハンドルＧを操作することで中枠Ｂに配設した打球発射装置(図示せず)が駆動されて、上球皿Ｅに貯留されたパチンコ球を遊技盤Ｄの遊技領域３０に向けて打ち出すよう構成されている。
【００１７】
(遊技盤)
前記遊技盤Ｄは、図１〜図３に示すように、アクリルやポリカーボネート等の光透過性の合成樹脂材やベニア等の木板を材質とし、前記中枠Ｂに設けた遊技盤保持部(図示せず)の内縁形状に整合する外縁形成された略矩形の平板状に形成され、その前側に前記遊技領域３０が設けられると共に後側に設置部材４０が配設されている。遊技盤Ｄの前側には、左下部から右上部にかけて円弧状に延在する外レール３１と、この外レール３１の内側に中央下部から左上部にかけて並べて配置された内レール３２と、外レール３１の右上部から内レール３２の下部までの間に右方へ凹む湾曲形状に構成された盤面飾り部材３３等が配設されており、両レール３１,３２および盤面飾り部材３３で囲まれた内側が前記遊技領域３０として構成されている。これにより、前記打球発射装置から発射されたパチンコ球は、外レール３１と内レール３２との間を通って遊技領域３０の左上部に打ち出された後、該遊技領域３０内を流下する。但し、前記内レール３２の延在長を大きく設定して、前記外レール３１および該内レール３２で遊技領域３０を形成するようにしてもよい。
【００１８】
前記遊技盤Ｄには、図２および図３に示すように、中央に大きな貫通口２９が形成されて、前後に開口して遊技演出領域とされる表示窓口３４Ａが形成された枠状装飾部材３４が、該貫通口２９の開口縁に配設されている。この枠状装飾部材３４には、図柄表示装置Ｈ(後述)で行なわれる遊技内容に合わせた装飾が施されている。そして、設置部材４０に着脱可能に配設された図柄表示装置Ｈにおける図柄変動演出やその他表示演出が行われる表示部Ｈ１や、該設置部材４０の前側に配設される第１可動演出装置ＤＵ１および第２可動演出装置ＤＵ２(後述)が、枠状装飾部材３４の表示窓口３４Ａを介して前側から視認可能に構成されている。また遊技盤Ｄには、図３に示すように、前記貫通口２９の下方に、第１装着口２７および第２装着口２８が開設されている。前記第１装着口２７には、図２に示す始動入賞装置３５および特別入賞装置３６が配設される。前記第２装着口２８には、３つの第１普通入賞口３７が左右に並んで配設される。更に前記第１装着口２７には、前記特別入賞装置３６の右側に第２普通入賞口３８が配設される。なお、遊技盤Ｄの前面における前記遊技領域３０内には、多数の球案内釘や球案内具等(図示省略)が配設されている。
【００１９】
前記始動入賞装置３５、特別入賞装置３６、第１普通入賞口３７および第２普通入賞口３８には、入賞したパチンコ球を検知する球検知センサ(図示せず)が配設され、該球検知センサの球検知信号が、前記設置部材の後側に取り付けられて当該パチンコ機Ｐを総合的に制御する主制御装置(図示せず)に送出される。前記主制御装置は、前記始動入賞装置３５の球検知センサからの検出信号を受けると、大当たり抽選を行なうと共に、前記設置部材４０の後側に取り付けられた統括制御装置(図示せず)に制御信号を出力して前記図柄表示装置Ｈに図柄変動演出を行なわせると共に、前記中枠Ｂの後側に配設された払出制御装置(図示せず)に制御信号を出力して、球払出装置(図示せず)に所定数の賞球を払い出させる。そして、前記主制御装置における前記大当たり抽選の結果として大当たりが発生する場合には、図柄表示装置Ｈの表示部Ｈ１での図柄変動演出の後に該表示部Ｈ１に所定の図柄組合わせで図柄が停止表示され、前記特別入賞装置３６の入賞口が開放される。また主制御装置は、特別入賞装置３６の球検知センサからの検出信号を受けると、前記払出制御装置に制御信号を出力して前記球払出装置に所定数の賞球を払い出させる。更に前記主制御装置は、前記第１普通入賞口３７および第２普通入賞口３８の球検知センサＳからの検出信号を受けると、前記払出制御装置に制御信号を出力して前記球払出装置に所定数の賞球を払い出させる。
【００２０】
(設置部材)
前記設置部材４０は、図３に示すように、前方に開放する略矩形のバケット状に一体形成された合成樹脂製の部材であって、前側の開放端を遊技盤Ｄの後面に突き合わせて該遊技盤Ｄに取り付けられる。設置部材４０は、遊技盤Ｄに対向して該遊技盤Ｄの後面を構成する設置板部４１と、この設置板部４１の周縁から前方へ延出形成された外周板部４２と、この外周板部４２の前端から外方に向けて屈曲形成された縁板部４３等を備えている。設置部材４０は、外周板部４２で囲われて遊技盤Ｄ側に開放する前部開口が矩形状に形成されると共に、縁板部４３の外周縁が、遊技盤Ｄの外周縁より一回り小さい形状および大きさで形成されている。このような設置部材４０は、縁板部４３を遊技盤Ｄに当接して該遊技盤Ｄの後面にネジ止め固定され、遊技盤Ｄの後面から離間配置された設置板部４１と遊技盤Ｄとの間に、第１可動演出装置ＤＵ１および第２可動演出装置ＤＵ２やその他の装飾部材等の配設を可能とする空間を画成する。また、前記設置部材４０の設置板部４１には、図２および図３に示すように、中央に略四角形状の表示開口４５が前後に貫通形成されており、該設置板部４１の後側には、前記図柄表示装置Ｈが、表示部Ｈ１を表示開口４５に臨ませた状態で着脱可能に取り付けられている。
【００２１】
図３に示すように、前記設置板部４１において、前記表示開口４５の下側に位置する下板部４１Ａの前側には、前記第１可動演出装置ＤＵ１が配設されると共に、該表示開口４５の左側に位置する左板部４１Ｂの前側には、前記第２可動演出装置ＤＵ２が配設されている。また、前記設置板部４１において、前記表示開口４５の上側に位置する上板部および該表示開口４５における右側に位置する右板部には、装飾部材４８等が配設されている。更に、前記下板部４１Ａの前側には、前記第１普通入賞口３７に入賞したパチンコ球の通出路を画成した通出路部材４６や、第２普通入賞口３８に入賞したパチンコ球の通出路を画成した通出路部材４７等が形成されている。
【００２２】
(第１可動演出装置)
第１可動演出装置ＤＵ１は、図４〜図６に示すように、前記表示窓口３４Ａに露出する可動演出部材として、第１可動演出部材５０と、該第１可動演出部材５０に対して相対的に移動する第２可動演出部材５１,５１とを備えている。第１可動演出装置ＤＵ１は、兎のキャラクターとして形成された可動演出装置であって、前記第１可動演出部材５０が兎の頭部としてデザインされており、前記各第２可動演出部材５１が兎の耳部としてデザインされている。そして第１可動演出装置ＤＵ１は、後述する駆動手段としての１つの駆動モータ５３の駆動により、第１可動演出部材５０が姿勢変位すると共に、この第１可動演出部材５０の姿勢変位に連動して各第２可動演出部材５１が該第１可動演出部材５０に対して相対的に姿勢変位するように構成されている。これにより第１可動演出装置ＤＵ１は、第１可動演出部材５０と第２可動演出部材５１とが異なる動作をすることで、高い演出効果が得られるようになっている。このような第１可動演出装置ＤＵ１は、前記第１可動演出部材５０、第２可動演出部材５１および前記駆動モータ５３の他に、該駆動モータ５３やセンサ５６等を設置するベース部材５２、第１可動演出部材５０に連動して該第１可動演出部材５０に対して相対的に姿勢変位する連係部材５４、該連係部材５４の姿勢変位を発現させる回転部材５５を備えている。なお実施例では、前記第１可動演出部材５０が１つ設けられると共に、前記第２可動演出部材５１は複数(実施例では２つ)設けられている。
【００２３】
(ベース部材)
ベース部材５２は、図４〜図６に示すように、合成樹脂製の一体成形部材であって、左右に長いプレート状をなしている。ベース部材５２は、前記設置部材４０の下板部４１Ａに対してネジで固定されるようになっている。このベース部材５２は、前記下板部４１Ａに固定された際に略垂直に延在すると共に該下板部４１Ａから前方へ離間して位置する前板部５２Ａと、この前板部５２Ａの外周縁全周に亘って延在し、後方へ突出して前記下板部４１Ａの前面に当接する外周リブ５２Ｂとから形成されている。なお以降では、ベース部材５２の左右中央に位置する部分を本体支持部５７、この本体支持部５７の右側に連設される部分を第１設置部５８、前記本体支持部５７の左側に連設される部分を第２設置部５９と指称する。
【００２４】
前記本体支持部５７は、前記第１可動演出部材５０を上下のスライド移動が可能に支持する部分である。この本体支持部５７には、図４(ｂ)、図５および図６に示すように、前記第１設置部５８および第２設置部５９より上方へ突出して略正方形状をなしている。そして本体支持部５７には、前板部５２Ａを貫通して上下に延在する複数(実施例では３つ)のガイド孔６０Ａ,６０Ｂ,６０Ｃが形成されている。このうち２つのガイド孔６０Ａ,６０Ｂは、本体支持部５７の上縁近傍から該本体支持部５７の上下略中央まで延在すると共に左右に離間して設けられ、残りの１つのガイド孔６０Ｃは、本体支持部５７の下縁近傍から該本体支持部５７の上下略中央まで延在すると共に前記２つのガイド孔６０Ａ,６０Ｂの間に設けられている。これらガイド孔６０Ａ,６０Ｂ,６０Ｃには、図５、図６および図８に示すように、第１可動演出部材５０の後側から後方へ延出した各支持ボス７２Ａ,７２Ｂ,７２Ｃの先端が夫々前から整合して挿通されている(図８には、ガイド孔６０Ｃおよび支持ボス７２Ｃのみが図示されている)。前記各ガイド孔６０Ａ,６０Ｂ,６０Ｃは、上下に長く開口しているので、ベース部材５２で支持された前記第１可動演出部材５０の上下へのスライド移動を許容する。
【００２５】
前記本体支持部５７における前記前板部５２Ａの裏側には、図４(ｂ)および図６に示すように、上下に延在する２本のガイドレール６１,６１が形成されている。前記ガイドレール６１,６１は、前板部５２Ａの裏側において、前記第１可動演出部材５０の前記各支持ボス７２Ａ,７２Ｂ,７２Ｃに固定される支持部材６３が、該第１可動演出部材５０と共に上下にスライド移動する際のガイドとして機能する。すなわち各ガイドレール６１は、前板部５２Ａの裏側において左右に離間して設けられ、該前板部５２Ａの裏側から後方へ突出すると共に、前記ガイド孔６０Ａ,６０Ｂ,６０Ｃと平行に延在する突状部である。そして各ガイドレール６１は、前記支持部材６３の前側に、上下へ延在するように設けた２本の凹溝部６４(図４(ｂ)、図６参照)に摺接するようになっている。なお、図６に示すように、各ガイドレール６１の上下中央には、側方へ突出する突部６１Ａ,６１Ａが形成されると共に、図５に示すように、各凹溝部６４の上端および下端には、該凹溝部６４の内側に向けて突出する突部６４Ａ,６４Ｂが形成されている。すなわち、凹溝部６４の上端に設けられた突部６４Ａは、前記第１可動演出部材５０が第１位置(後述)に位置して支持部材６３が図４(ｂ)または図７の位置にある場合に前記突部６１Ａに上側から当接して、該支持部材６３が下側へ移動することを規制するストッパとして機能する。また、凹溝部６４の下端に設けられた突部６４Ｂは、前記第１可動演出部材５０が第２位置(後述)に位置して支持部材６３が図１１または図１２の位置にある場合に前記突部６１Ａに下側から当接して、該支持部材６３が上側へ移動することを規制するストッパとして機能する。
【００２６】
前記第１設置部５８には、図４(ｂ)、図５および図６に示すように、前板部５２Ａに形成した開口６８に、出力軸５３Ａを前側から挿通させた駆動モータ５３が取り付けられている。そして第１設置部５８の後側には、前記出力軸５３Ａに固定されたピニオンギア６５に噛合される中間ギア６７が回転自在に枢支されている。なお、図５および図６において符号６６は、前記中間ギア６７を支持する支持軸である。
【００２７】
前記第２設置部５９の前側には、図４(ａ)、図５および図６に示すように、前記第１可動演出部材５０の後側左下に設けた被検出部８７を検出する前記センサ５６が取り付けられている。このセンサ５６には、前記第１可動演出部材５０が第１位置(図７の状態)にある場合に前記被検出部８７を検出するためのものである。
【００２８】
(駆動モータ)
前記駆動モータ５３は、例えば正逆回転が可能なステッピングモータ等の電動モータであり、減速用のギアボックス５３Ｂを備えている。この駆動モータ５３は、前述した統括制御装置により駆動制御される。なお、第１可動演出部材５０を姿勢変位させるための駆動手段としては、前記駆動モータに限らず、流体を使用するアクチュエータや、ロータリーソレノイド等であってもよい。
【００２９】
(第１可動演出部材)
第１可動演出部材５０は、図４〜図８に示すように、横長の略楕円形状に形成されて前方へ膨出した丸みを帯びた前側部材７０と、この前側部材７０が前側にネジ等により取付固定される後側部材７１とを備えている。前側部材７０は、前記表示窓口３４Ａに臨んで遊技盤Ｄの前側から視認される部材であり、その前面には兎の頭部として認識される加飾が施されている。後側部材７１は、前記前側部材７０よりも下方へ延出する板状部材であり、前側上部が前記前側部材７０の取付部となっている。
【００３０】
後側部材７１の後面において、上下中央より下側には、後方へ延出した前記３つの支持ボス７２Ａ,７２Ｂ,７２Ｃが設けられている。各支持ボス７２Ａ,７２Ｂ,７２Ｃは、下方へ突となる三角形の各頂点に位置する関係で配設されており、前述したように、ベース部材５２に設けた３つの各ガイド孔６０Ａ,６０Ｂ,６０Ｃの夫々に個別に対応して前側から挿通され、各々の後端が前記ベース部材５２の後側に配設した前記支持部材６３にネジで固定されている。従って第１可動演出部材５０は、各支持ボス７２Ａ,７２Ｂ,７２Ｃが各々の対応するガイド孔６０Ａ,６０Ｂ,６０Ｃに挿通されると共に支持部材６３がベース部材５２に設けた前記各ガイドレール６１,６１に支持されることで、該ベース部材５２に対して安定的に支持されると共に上下にスライド移動が自在となっている。なお、図５および図６において符号７３は、各支持ボス７２Ａ,７２Ｂ,７２Ｃの先端に装着されカラーであり、各カラー７３は、対応するガイド孔６０の開口端に摺接するようになっている。これらカラー７３は、自己潤滑性を有する合成樹脂(ポリアセタール等)から形成されており、ベース部材５２に対する第１可動演出部材５０のスライド移動を滑らかにするよう機能する。
【００３１】
前記支持部材６３は、図４(ｂ)、図５および図６に示すように、前記各支持ボス７２Ａ,７２Ｂ,７２Ｃの後端が当接する３つの連結部７４が形成されている。各連結部７４には、前後に貫通したネジ孔が設けられており、裏側からネジ孔に挿通したネジ(図示せず)を各支持ボス７２Ａ,７２Ｂ,７２Ｃの後端にねじ込むことで、支持部材６３が第１可動演出部材５０に強固に固定される。そして、支持部材６３におけるモータ取付側(第１設置部５８側)の端部には、上下に延在する第１ラックギア７５が形成されており、前記中間ギア６７が該第１ラックギア７５に噛合するようになっている。従って、前記駆動モータ５３を駆動して該中間ギア６７が正回転(図４(ｂ)において反時計方向へ回転)した場合には、支持部材６３と共に前記第１可動演出部材５０が上方へスライド移動し、前記駆動モータ５３を逆駆動して該中間ギア６７が逆回転(図４(ｂ)において時計方向へ回転)した場合には、支持部材６３と共に前記第１可動演出部材５０が下方へスライド移動するように構成されている。すなわち前記第１可動演出部材５０は、前記駆動モータ５３の駆動により、第１位置(図４(ａ)、図４(ｂ)、図７および図８参照)と、該第１位置より上方の第２位置(図１１および図１２参照)との間を、前記ベース部材５２に対して相対的に上下にスライド移動するよう構成されている。
【００３２】
第１可動演出部材５０では、図６〜図８に示すように、後側部材７１の裏面における左右中央に、前記連係部材５４を配設するための連係部材配設部７６が設けられている。この連係部材配設部７６には、左右に離間する位置に一対のガイド部７７,７８が設けられている。前記ガイド部７７,７８は、連係部材配設部７６の左右両側において垂直に延在すると共に対向するガイド壁７７,７７と、両ガイド壁７７,７７の下方において左右に離間して設けられたガイド端７８,７８とを備えている。そして前記連係部材５４は、その左端および右端が、前記ガイド壁７７,７７およびガイド端７８,７８に夫々摺接するようになっている。また、後側部材７１の裏面において上下中央より上側には、水平後方へ延出した２本の支持軸(支持部)７９,７９が、該後側部材７１の左右中央を挟んで両側に立設されている。これら支持軸７９,７９には、前記第２可動演出部材５１,５１が、夫々回転可能に取り付けられる。更に、後側部材７１の裏側において上下中央より下側には、水平後方へ延出した１本の回転支軸８０が、該後側部材７１の左右中央に立設されている。この回転支軸８０には、前記回転部材５５が回転自在に取り付けられる。
【００３３】
更に、前記第１可動演出部材５０には、図５、図６および図８に示すように、後側部材７１の前面に、ＬＥＤ８８ａが実装された発光基板(発光手段)８８が配設されている。この発光基板８８は、前側部材７０と後側部材７１の間に画成された空間内に位置して、該前側部材７０を裏側から照射するように構成されている。ここで前記前側部材７０は、その一部または全体が光透過可能に構成されている。従って、前記第１可動演出部材５０の姿勢変位中または停止中の適時に前記発光基板８８を発光制御した際には、前記前側部材７０が明輝状態となって演出効果を高めるようになっている。
【００３４】
(連係部材)
連係部材５４は、図５〜図７に示すように、前記第１可動演出部材５０の裏側に設けた前記連係部材配設部７６に、上下にスライド移動可能に配設されている。この連係部材５４は、前記左右のガイド壁７７,７７に摺接し得る幅寸法に形成された上板部８１と、この上板部８１から下方へ延出して該上板部８１より幅狭に形成され、前記左右のガイド端７８,７８に摺接し得る幅寸法に形成された下板部８２とが、一体的に形成された成形部材である。前記連係部材配設部７６に配設された前記連係部材５４は、前記第１可動演出部材５０に対して、上部に位置する前記支持ボス７２Ａ,７２Ｂ間に前記下板部８２が移動する位置(以降「相対的初期位置」という)(図７、図８、図１１および図１２の状態)と、該連係部材配設部７６に対して前記相対的初期位置よりも相対的に下方にスライド移動した位置(以降「相対的スライド位置」という)(図９、図１０の状態)との間を上下にスライド移動する。そして、前記連係部材５４が前記相対的初期位置に停止している場合において、前記第１可動演出部材５０が前記第１位置にある場合には、該連係部材５４は前記ベース部材５２に対して「基準位置」(図７、図８の状態)に位置し、該第１可動演出部材５０が前記第２位置にある場合には、該連係部材５４は前記ベース部材５２に対して「移動位置」(図１１、図１２の状態)に位置するようになっている。
【００３５】
前記連係部材５４の前記上板部８１には、図５および図６に示すように、上下に長く開口した第１挿通孔８３,８３が、左右に離間して形成されている。これら第１挿通孔８３,８３には、前記支持軸７９,７９がスライド移動が可能に挿通するようになっている。また、前記上板部８１の前記第１挿通孔８３,８３間には、両第１挿通孔８３,８３の上下中央に、水平方向へ延在する連結溝８４,８４が形成されている。この連結溝８４には、後述するように、各第２可動演出部材５１,５１に設けた連結ピン(連結部)９８が後側から係合するようになっている。一方、前記下板部８２には、図５および図６に示すように、上下に長く開口した第２挿通孔８５が、左右中央に設けられている。この第２挿通孔８５には、前記回転支軸８０がスライド移動が可能に挿通するようになっている。更に、前記下板部８２における前記第２挿通孔８５の下方には、左右方向へ水平に延在する連係溝(被連係部)８６が、該第２挿通孔８５に連通した状態で形成される。この連係溝８６には、後述するように、前記回転部材５５に設けた連係ピン(連係部)９３が後側から係合するようになっている。なお前記上板部８１の左端部および右端部には前記ガイド壁７７,７７に対向して摺接する突部８１Ａ,８１Ａが、該端部から側方へ突出するように形成されている。
【００３６】
前記連結溝８４は、連係部材５４の前記相対的初期位置においては前記支持軸７９,７９より上方に位置し(図７参照)、該連係部材５４の前記相対的スライド位置においては該支持軸７９,７９より下方に位置するようになっている(図９参照)。また、前記連係溝８６は、連係部材５４の前記相対的初期位置においては前記回転支軸８０と交差するように位置し(図７参照)、該連係部材５４の前記相対的スライド位置においては該回転支軸８０から下方へ離間するようになっている(図９参照)。
【００３７】
(回転部材)
回転部材５５は、図５〜図８に示すように、前記回転支軸８０が前後に貫通可能な軸孔９１が形成された円板部９０の後側に設けられたギア９２と、前記ギア９２の外周端に形成された連係ピン９３とを備えており、前記連係部材５４の後側で回転支軸８０に回転自在に枢支されている。前記ギア９２は、前記ベース部材５２における本体支持部５７の前側に垂直に延在するよう形成された第２ラックギア６２(図５参照)に噛合し得るモジュールおよび外径に形成されている。また前記連係ピン９３は、前記回転支軸８０が挿通する前記軸孔９１から径方向に所要距離に偏倚した位置において、前方へ延出するように形成されている。従って、前記回転支軸８０に枢支された前記回転部材５５は、前記ギア９２が前記第２ラックギア６２に右側から噛合すると共に、前記連係ピン９３が前記連係部材５４の前記連係溝８６に後側から係合している。
【００３８】
そして回転部材５５は、前記回転支軸８０が前記第１可動演出部材５０に取り付けられていることから、該第１可動演出部材５０の上下スライド移動と同期して上下に移動し、ギア９２が第２ラックギア６２に噛合していることで上下の移動に連動して回転する。ここで回転部材５５は、前記第１可動演出部材５０の第１位置においては、図７および図８に示すように、前記第２ラックギア６２の下端近くに位置する。このとき前記連係ピン９３は、連係溝８６の左端(図７では右端)に位置すると共に、回転支軸８０の左側(図７では右側)に位置している。そして回転部材５５は、前記第１可動演出部材５０が第１位置から該第１位置と第２位置との中間の「中間位置」にスライド移動する際には、図７において時計方向へ回転し、図９および図１０に示す該第１可動演出部材５０の該中間位置においては、第２ラックギア６２の上下方向の略中間に位置する。このとき前記連係ピン９３は、連係溝８６に沿って右方向(図９では左方向)へ移動して該連係溝８６の左右中央に位置すると共に、回転支軸８０の真下に位置している。また回転部材５５は、前記第１可動演出部材５０が中間位置から第２位置にスライド移動する際に図９において更に時計方向へ回転し、図１１および図１２に示す第１可動演出部材５０の第２位置においては、第２ラックギア６２の上端近くに位置する。このとき前記連係ピン９３は、連係溝８６に沿って右方向(図１１では左方向)へ移動して該連係溝８６の右端(図１１では左端)に位置すると共に、回転支軸８０の右側(図１１では左側)に位置している。
【００３９】
すなわち、前記回転部材５５に設けた前記連係ピン９３は、第１可動演出部材５０のスライド移動に連動した該回転部材５５の回転により、第１可動演出部材５０の第１位置から第２位置への移動方向と反対方向である下方へ凸となる円弧状に移動する。すなわち連係ピン９３は、回転部材５５の回転により、第１可動演出部材５０が第１位置から中間位置へスライド移動する際には下方へ円弧状に移動し、第１可動演出部材５０の中間位置において該第１可動演出部材５０に対して最下位置となり、第１可動演出部材５０が中間位置から第２位置へスライド移動する際には上方へ円弧状に移動する。
【００４０】
従って、前記回転部材５５に連係された前記連係部材５４は、前記第１可動演出部材５０が第１位置から中間位置に向けてスライド移動する際に、該第１可動演出部材５０に対しては前記相対的初期位置から下方へスライド移動し、第１可動演出部材５０の中間位置においては前記相対的スライド位置となる。そして連係部材５４は、図７と図９とを比較すると、上方へスライド移動する第１可動演出部材５０に対して相対的に下方へスライド移動して前記相対的スライド位置に変位した状態となり、ベース部材５２に対しては殆ど上下に移動せずに前記基準位置にほぼ停止した状態となっている。また前記連係部材５４は、前記第１可動演出部材５０が中間位置から第２位置に向けてスライド移動する際に、該第１可動演出部材５０に対しては前記相対的スライド位置から上方へスライド移動し、第１可動演出部材５０の第２位置においては前記相対的初期位置に復帰する。そして連係部材５４は、図９と図１１とを比較すると、上方へスライド移動する第１可動演出部材５０に対して相対的に上方へスライド移動するから、ベース部材５２に対しては該第１可動演出部材５０よりも速い速度で上方へ移動して、前記基準位置から前記移動位置へ移動するようになる。
【００４１】
一方、前記連係ピン９３は、前記第１可動演出部材５０が第２位置から第１位置に向けて下方へスライド移動する際には、前記回転部材５５が逆に回転することで、前述した第１可動演出部材５０が第１位置から第２位置へスライド移動する場合とは反対の経路を移動するようになる。従って、前記回転部材５５に連係された前記連係部材５４は、前記第１可動演出部材５０が第２位置から中間位置に向けて下方へスライド移動する際に、該第１可動演出部材５０に対しては前記相対的初期位置から下方へスライド移動し、第１可動演出部材５０の中間位置においては前記相対的スライド位置となる。そして連係部材５４は、下方へスライド移動する第１可動演出部材５０に対して相対的に下方へスライド移動して前記相対的スライド位置となるため、ベース部材５２に対しては該第１可動演出部材５０よりも速い速度で下方へ移動して、前記移動位置から前記基準位置へ移動するようになる。また前記連係部材５４は、前記第１可動演出部材５０が中間位置から第１位置に向けてスライド移動する際に、該第１可動演出部材５０に対しては前記相対的スライド位置から上方へスライド移動し、第１可動演出部材５０の第１位置においては前記相対的初期位置に戻る。そして連係部材５４は、下方へスライド移動する第１可動演出部材５０に対して相対的に上方へスライド移動して前記相対的初期位置となるため、ベース部材５２に対しては殆ど上下に移動せずに前記基準位置で停止する。
【００４２】
(第２可動演出部材)
前記第２可動演出部材５１,５１は、図４〜図６に示すように、前記第１可動演出部材５０の裏側上部において、左右に並んで配設されている。各第２可動演出部材５１は、前方へ膨出して丸みを帯びた湾曲面形状に形成された本体部９５と、該本体部９５における長手方向の一端側から外方へ延出した支持部９６とが一体的に形成されている。前記本体部９５は、その前面に、兎の耳部として認識される加飾が施されている。なお、各第２可動演出部材５１は、左右対称形状に形成されており、同一部材、部位は同一の符号で指示する。
【００４３】
前記支持部９６の先端側には、図７〜図８に示すように、前記第１可動演出部材５０に設けた前記支持軸７９が前後に貫通し得る貫通孔９７が形成されている。従って各第２可動演出部材５１は、支持軸７９が貫通孔９７に貫通することで、支持部９６が該支持軸７９に枢支された状態で第１可動演出部材５０に連結される。これにより各第２可動演出部材５１は、支持部９６が設けられた一端側と反対の自由端の側が、上下に変位するように回転自在となっている。なお、各第２可動演出部材５１の本体部９５は、図８、図１０および図１２に示すように、支持部９６側より自由端側が後方へ位置するよう後方へ湾曲した形状に形成されている。
【００４４】
また、図５〜図７に示すように、支持部９６の先端側において、他方の第２可動演出部材５１に隣接する側には、前記貫通孔９７から所要の間隔をおいた位置に、前方へ延出する前記連結ピン９８が設けられている。この連結ピン９８は、前記第２可動演出部材５１が前記支持軸７９を支点として回転する際に、該支持軸７９を中心として円弧状に移動するようになっている。そして連結ピン９８は、前記連係部材５４に設けた前記連結溝８４に対し、後側から係合している。
【００４５】
そして、図７および図８に示すように、前記第１可動演出部材５０が前記第１位置に位置して連係部材５４が前記相対的初期位置にある場合には、該連結溝８４が前記支持軸７９より上方に位置しているので、連結溝８４に係合した連結ピン９８は、該支持軸７９より上方に位置するようになる。従って各第２可動演出部材５１は、前記第１可動演出部材５０が第１位置に位置している場合に、自由端側が下方へ移動して略水平に倒伏した「第３位置」に保持される。また、図９および図１０に示すように、前記第１可動演出部材５０が前記第１位置から前記中間位置にスライド移動して連係部材５４が前記相対的初期位置から前記相対的スライド位置に相対的にスライド移動する場合には、連結溝８４が前記支持軸７９より下方に位置するようになるので、該連結溝８４に係合した前記連結ピン９８は、前記支持部９６を通り該連係部材５４の移動方向と直交する方向に延在する軸線Ｌ１を横切って該支持軸７９より下方に位置するようになる。従って第２可動演出部材５１は、前記第１可動演出部材５０が中間位置に位置している場合に、自由端側が上方へ移動して約６０度まで起立した「作動位置」まで移動するようになる。更に、図１１および図１２に示すように、前記第１可動演出部材５０が前記中間位置から前記第２位置にスライド移動して連係部材５４が前記相対的スライド位置から前記相対的初期位置にスライド移動する場合には、第１可動演出部材５０に対して連結溝８４が前記支持軸７９より再び上方に位置するようになるので、該連結溝８４に係合した前記連結ピン９８は、前記軸線Ｌ１を横切って該支持軸７９より上方に位置するようになる。従って第２可動演出部材５１は、前記第１可動演出部材５０が第２位置に位置している場合に、自由端側が下方へ移動して略水平に倒伏した「第４位置」に保持される。すなわち、前記連係部材５４が前記相対的初期位置から前記相対的スライド位置へ姿勢変位する際に、前記連結溝８４に係合した前記連係ピン９７が前記軸線Ｌ１を横切って上下に往復移動するよう構成されているので、第１可動演出部材５０が第１位置と第２位置との間をスライド移動する際に、第２可動演出部材５１は第３位置と第４位置との間を往復回転する。そして、第３位置および第４位置における第２可動演出部材５１は、図９および図１１に示すように、第１可動演出部材５０に対しては同じ姿勢となる。
【００４６】
また、前記各第２可動演出部材５１には、図５〜図７に示すように、支持部９６の先端側において、他方の第２可動演出部材５１とは反対側に、側方へ延出する突片部９９が形成されている。この突片部９９は、図７および図１１に示すように、第２可動演出部材５１が前記第３位置および第４位置に位置する場合に、前記第１可動演出部材５０の後側部材７１に設けたガイド壁７７の上端７７Ａに、上方から当接するよう構成されている。すなわち第２可動演出部材５１は、第３位置または第４位置となると突片部９９がガイド壁７７の上端７７Ａに当接することで、該第３位置および第４位置に保持されて過回転することが防止されるようになっている。
【００４７】
前述のように構成された前記第１可動演出装置ＤＵ１は、前記第１可動演出部材５０が前記駆動モータ５３の駆動により前記第１位置および前記第２位置の間を姿勢変位し、この第１可動演出部材５０に配設された連係部材５４が、該第１可動演出部材５０に対して相対的初期位置と相対的スライド位置との間をスライド移動することで、第１可動演出部材５０の第１位置に対応する前記基準位置および第２位置に対応する前記移動位置の間を姿勢変位する。これにより、第１可動演出部材５０および連係部材５４に夫々連結された各第２可動演出部材５１は、該第１可動演出部材５０の姿勢変位と該連係部材５４の姿勢変位との差動により、第１可動演出部材５０の第１位置に対応する前記第３位置および第２位置に対応する前記第４位置の間を、往復回転しながら姿勢変位するよう構成されている。そして第１可動演出装置ＤＵ１は、第１可動演出部材５０が第１位置、連係部材５４がベース部材５２との関係において基準位置でかつ第１可動演出部材５０に対しては相対的初期位置、各第２可動演出部材５１が第３位置となっている図１、図４、図７および図８の状態が「第１姿勢」とされる。また第１可動演出装置ＤＵ１は、第２可動演出部材５１が第２位置、連係部材５４がベース部材５２との関係において移動位置でかつ第１可動演出部材５０に対しては相対的初期位置、各第２可動演出部材５１が第４位置となっている図２、図１１および図１２の状態が「第２姿勢」とされる。更に第１可動演出装置ＤＵ１は、第１可動演出部材５０が中間位置、連係部材５４が第１可動演出部材５０に対して相対的スライド位置、各第２可動演出部材５１が作動位置となっている図９、図１０および図１７の状態が「中間姿勢」とされる。
【００４８】
(第２可動演出装置)
前記第２可動演出装置ＤＵ２は、図３、図１３および図１４に示すように、前記設置部材４０における設置板部４１の左板部４１Ｂの前側に配設される。この第２可動演出装置ＤＵ２は、前記表示窓口３４Ａに露出する可動演出部材として、湾曲アーム状に形成されたアーム部材１００と、このアーム部材１００の先端側に設けられた円形状の装飾部材１０１とを備えている。そして第２可動演出装置ＤＵ２は、後述する第１駆動手段としての第１駆動モータ１０７の駆動により、前記アーム部材１００が、先端側が上下に移動するよう姿勢変位すると共に、後述する第２駆動手段としての第２駆動モータ１４１の駆動により、前記装飾部材１０１が回転するよう構成されている。このような第２可動演出装置ＤＵ２は、前記アーム部材１００および装飾部材１０１、前記第１駆動モータ１０７および第２駆動モータ１４１の他に、第１駆動モータ１０７等を設置する取付ベース部材１０２、第１駆動モータ１０７とアーム部材１００とを連係機構１０３等を備えている。
【００４９】
(取付ベース部材)
前記取付ベース部材１０２は、図１３および図１４に示すように、合成樹脂製の一体成形部材であって、上下に長いプレート状をなしている。取付ベース部材１０２は、前記設置部材４０の左板部４１Ｂに対してネジで固定されるようになっている。この取付ベース部材１０２は、前記左板部４１Ｂに固定された際に略垂直に延在すると共に該左板部４１Ｂから前方へ離間して位置する前板部１０２Ａと、この前板部１０２Ａの外周縁全周に亘って延在し、後方へ突出して前記左板部４１Ｂの前面に当接する外周リブ１０２Ｂとから形成されている。なお以降では、第１駆動モータ１０７を固定する部分を第１配設部１０４、この第１配設部１０４の上側に位置して前記連係機構１０３を配設する部分を第２配設部１０５、この第２配設部１０５の上側に位置して前記アーム部材１００を配設する部分を第３配設部１０６と指称する。
【００５０】
(第１駆動モータ)
前記第１配設部１０４に配設された第１駆動手段としての前記第１駆動モータ１０７は、例えば正逆回転が可能なステッピングモータ等の電動モータであり、減速用のギアボックス１０７Ａを備えている。この第１駆動モータ１０７は、前述した統括制御装置により駆動制御される。なお第１駆動手段としては、電動モータに限らず、流体を使用するアクチュエータや、ロータリーソレノイド等であってもよい。
【００５１】
(連係機構)
前記第２配設部１０５に配設された前記連係機構１０３は、図１３および図１４に示すように、前記第１駆動モータ１０７の出力軸１０７Ｂに設けたピニオンギア１０８に噛合する中間ギア１０９と噛合する作動ギア１１０と、該作動ギア１１０に連係されたＬ型のリンク部材１１１とを備えている。作動ギア１１０は、取付ベース部材１０２の前板部５２Ａの前側に回転支軸１１２を介して回転自在に配設されると共に、前面における回転中心から所要距離偏倚した位置に、支軸１１３を介して第１カム１１４が配設されている。前記第１カム１１４は、前記回転支軸１１２より左側に位置しており、前記第１駆動モータ１０７の駆動により作動ギア１１０が正逆回転することで、前記回転支軸８０を通り水平に延在する軸線Ｌ２を上下に横切って円弧状に往復移動するようになっている。
【００５２】
(リンク部材)
前記リンク部材１１１は、図１３に示すように、左右方向へ水平に延在する第１杆部１１５と、この第１杆部１１５の左部分から上方へ垂直に延在する第２杆部１１６とから形成されている。前記第１杆部１１５には、左右方向へ水平に延在する第１カム孔１１７が形成されると共に、前記第２杆部１１６には、上下方向へ垂直に延在する第２カム孔１１８が形成されている。前記第１カム孔１１７には、前記作動ギア１１０に配設した前記第１カム１１４が摺動可能に係合していると共に、前記第２カム孔１１８には、前記取付ベース部材１０２の前板部１０２Ａにおける前記作動ギア１１０の上方に支軸１１９を介して配設された第２カム１２０が摺動可能に係合している。従って、前記第１カム１１４が前記軸線Ｌ２より下方に位置する状態(図１５の状態)において、第１駆動モータ１０７の駆動により作動ギア１１０が図１５において時計方向へ正回転すると、第１カム１１４が第１カム孔１１７に沿って摺動しながら上方へ円弧状に移動し、第２カム１２０が第２カム孔１１８に沿って相対的に摺動することで、リンク部材１１１は上方へスライド移動する。一方、前記第１カム１１４が前記軸線Ｌ２より上方に位置する状態(図１６の状態)において、第１駆動モータ１０７の駆動により作動ギア１１０が図１６において反時計方向へ逆回転すると、第１カム１１４が第１カム孔１１７に沿って摺動しながら下方へ円弧状に移動し、第２カム１２０が第２カム孔１１８に沿って相対的に摺動することで、リンク部材１１１は下方へスライド移動する。また、図１３に示すように、リンク部材１１１の第２杆部１１６における前記第２カム孔１１８の上部には、支軸１２１を介して第３カム１２２が配設されている。この第３カム１２２は、前記アーム部材１００に設けたレバー部１３２に開設した長孔状の係合孔１３３に摺動可能に係合している。
【００５３】
(アーム部材)
前記第３配設部１０６に配設された前記アーム部材１００は、図１３および図１４に示すように、前記取付ベース部材１０２に回転自在に枢支された支持アーム１２５と、この支持アーム１２５の前側に取り付けられてその前面に所要の加飾が施された装飾部材１２６とを備えている。前記支持アーム１２５は、その左端部側に支持孔１２７が形成され、前記取付ベース部材１０２の前板部１０２Ａに水平前方へ立設された回転支持軸１２８が該支持孔１２７に後側から突入係合することで、該回転支持軸１２８に回転自在に枢支されている。また、支持アーム１２５の左側上部の裏側には、前記回転支持軸１２８から所要距離偏倚した位置に、支軸１２９を介してガイドローラ１３０が配設されている。このガイドローラ１３０は、前記取付ベース部材１０２の前板部１０２Ａに設けた円弧状のガイド溝１３１に摺動可能に係合している。また、支持アーム１２５の左側部には、前記レバー部１３２が左方へ延出した状態に一体的に形成され、前述したように該レバー部１３２の先端側に形成された係合孔１３３に前記リンク部材１１１の第３カム１２２が係合することで、該支持アーム１２５と該リンク部材１１１とが連結されている。
【００５４】
従って支持アーム１２５は、前記第１駆動モータ１０７の駆動により前記リンク部材１１１が上方へスライド移動すると、前記第３カム１２２が上方へ移動することに伴い、回転支持軸１２８を支点として図１５において時計方向へ回転して、装飾部材１２６が配設された先端側が下方へ変位して図１６に示す「延出位置」に姿勢変位する。一方、支持アーム１２５は、前記第１駆動モータ１０７の駆動により前記リンク部材１１１が下方へスライド移動すると、前記第３カム１２２が下方へ移動することに伴い、回転支持軸１２８を支点として図１６において反時計方向へ回転して、先端側が上方へ変位して図１５に示す「待機位置」に姿勢変位するよう構成されている。なお、図１３、図１５および図１６に示すように、作動ギア１１０の正逆回転に際して、常に前記第１カム１１４がリンク部材１１１における第２杆部１１６の下方に位置するように構成されているため、Ｌ型の該リンク部材１１１の変形が抑制されて、該リンク部材１１１を介したアーム部材１００の姿勢変位を正確かつ適切に行なうことが可能となっている。
【００５５】
(装飾部材)
前記装飾部材１０１は、図１３および図１４に示すように、前記支持アーム１２５に連結される支持体１３５と、この支持体１３５に回転自在に配設されて前面に所要の加飾が施された円形状の回転体１３６とを備えている。前記支持体１３５は、前記支持アーム１２５に第１連結軸１３８を介して回転可能に連結されていると共に、一端が前記取付ベース部材１０２に連結されたリンクバー１３７の他端に第２連結軸１３９を介して回転可能に連結されている。前記リンクバー１３７の一端は、図１４に示すように、前記回転支持軸１２８の真下に設けた第３連結軸１４０を介して取付ベース部材１０２に連結されている。すなわち、支持アーム１２５とリンクバー１３７とは、取付ベース部材１０２と支持体１３５とを連結する平行リンクを構成しており、アーム部材１００が前記待機位置、前記延出位置および両位置間の適宜位置の何れの姿勢であっても、装飾部材１０１は常に一定の向きで移動するようになっている。
【００５６】
前記支持体１３５には、前記回転体１３６を回転させるための第２駆動モータ１４１が配設されており、該第２駆動モータ１４１の出力軸１４１Ａに設けたピニオンギア１４２と前記回転体１３６に配設された従動ギア１４５とが中間ギア１４３を介して連係されている。なお、支持体１３５における第２駆動モータ１４１が配設されたモータ配設部１３５Ａは、回転体１３６から外側へ延出しているが、このモータ配設部１３５Ａの前側には化粧部材１４６が配設されており、このモータ配設部１３５Ａは該化粧部材１４６により前側からは見えないようになっている。
【００５７】
前記回転体１３６は、図１４に示すように、前記支持体１３５に回転軸１４４を介して回転可能に支持され、この回転軸１４４の先端に前記従動ギア１４５が配設されている。従って回転体１３６は、前記第２駆動モータ１４１を駆動制御することで、アーム部材１００の姿勢変位とは非連動で前記支持体１３５に対して回転するようになっている。なお、前記第２駆動モータ１４１は、例えばステッピングモータ等の電動モータである。但し第２駆動手段は、電動モータに限らず、流体を使用するアクチュエータや、ロータリーソレノイド等であってもよい。
【００５８】
前述のように構成された前記第２可動演出装置ＤＵ２は、前記第１駆動モータ１０７の駆動により、前記アーム部材１００が前記待機位置および前記延出位置の間を回転しながら姿勢変位し、前記装飾部材１０１は、支持体１３５は該アーム部材１００に従動して昇降移動する。そして第２可動演出装置ＤＵ２は、アーム部材１００が待機位置となっている図１５の状態が「第３姿勢」とされ、アーム部材１００が延出位置となっている図１６の状態が「第４姿勢」とされる。
【００５９】
前記第１可動演出装置ＤＵ１および第２可動演出装置ＤＵ２を遊技盤Ｄの表示窓口３４Ａに臨むように備えた実施例のパチンコ機Ｐでは、図１７に示すように、前記第１可動演出装置ＤＵ１は、前記第１可動演出部材５０が前記中間位置となると共に前記第２可動演出部材５１,５１が前記作動位置となった前記中間姿勢に姿勢変位すると、前記第４姿勢まで姿勢変位する前記第２可動演出装置ＤＵ２の移動領域Ｓとオーバーラップする位置まで延出するように構成されている。また実施例のパチンコ機Ｐでは、図２および図１８に示すように、前記第１可動演出装置ＤＵ１は、前記第２姿勢に姿勢変位すると、前記第２可動演出装置ＤＵ２の前記移動領域Ｓから外れた位置に退避するように構成されている。すなわち前記第１可動演出装置ＤＵ１は、前記第１可動演出部材５０が前記第２可動演出装置ＤＵ２の前記移動領域Ｓとオーバーラップすることなく姿勢変位し、前記第２可動演出部材５１が該移動領域Ｓとオーバーラップして姿勢変位するようになっている。
【００６０】
そして、実施例のパチンコ機Ｐでは、前記第１可動演出装置ＤＵ１を前記第１姿勢から前記第２姿勢に変位させると共に前記第２可動演出装置ＤＵ２を前記第３姿勢から前記第４姿勢に姿勢変位させる際には、該第１可動演出装置ＤＵ１の第２可動演出部材５１を前記移動領域Ｓから退避させた後に、該第２可動演出装置ＤＵ２を第４姿勢へ到来させるよう制御するようになっている。すなわち、第１可動演出装置ＤＵ１と第２可動演出装置ＤＵ２とを同時に姿勢変位させる場合には、該第１可動演出装置ＤＵ１が前記中間姿勢から前記第２姿勢に移行するタイミングまたは該第１可動演出装置ＤＵ１が中間姿勢から第１姿勢へ移行するタイミングで、該第２可動演出装置ＤＵ２を前記第４姿勢に姿勢変位するように制御される。
【００６１】
(実施例の作用)
前述のように構成された実施例のパチンコ機Ｐでは、前記遊技盤Ｄの遊技領域３０へ打ち出されたパチンコ球が前記始動入賞装置３５に入賞して、該始動入賞装置３５に配設された球検知センサによる球検知信号を前記主制御装置が受けると、該主制御装置は、大当たり抽選を行なうと共に、前記統括制御装置に制御信号を出力して前記図柄表示装置Ｈの図柄変動演出を行なわせる。そして主制御装置は、前記大当たり抽選の結果として大当たりが発生すると、前記統括制御装置を介して図柄表示装置Ｈの表示部Ｈ１に所定の図柄組合わせで図柄を停止表示させ、前記特別入賞装置３６の入賞口(図示せず)を開放させる。
【００６２】
また前記統括制御装置は、前記主制御装置からの制御信号に基づき、前記第１可動演出装置ＤＵ１および第２可動演出装置ＤＵ２等を、前記図柄表示装置Ｈの表示部Ｈ１での遊技内容に合わせて総合的に作動制御する。すなわち統括制御装置は、前記図柄表示装置Ｈの表示部Ｈ１での遊技内容に基づき、前記可動演出装置ＤＵ１および第２可動演出装置ＤＵ２の何れかを単独で作動させたり、前記可動演出装置ＤＵ１および第２可動演出装置ＤＵ２の両方を同時または同期的に作動させる。そして統括制御装置は、前記第１可動演出装置ＤＵ１を前記第１姿勢から前記第２姿勢に変位させると共に前記第２可動演出装置ＤＵ２を前記第３姿勢から前記第４姿勢に姿勢変位させる際に、該第１可動演出装置ＤＵ１が前記中間姿勢から第２姿勢へ姿勢変位して第２可動演出部材５１が前記移動領域Ｓから退避した後に、該第２可動演出装置ＤＵ２を第４姿勢へ到来させるように制御する。これにより、第１可動演出装置ＤＵ１を第２姿勢に姿勢変位させると共に第２可動演出装置ＤＵ２を第４姿勢に姿勢変位させても、該第１可動演出装置ＤＵ１と第２可動演出装置ＤＵ２とが衝突することが回避され、両可動演出装置ＤＵ１,ＤＵ２の故障や破損を好適に防止し得る。
【００６３】
そして、前記第１可動演出装置ＤＵ１では、前記駆動モータ５３の駆動により、第１位置と第２位置との間を姿勢変位する第１可動演出部材５０に対し、基準位置と移動位置との間を姿勢変位する連係部材５４が、該第１可動演出部材５０と相対的に相対的初期位置から相対的スライド位置へ移動する。従って、第１可動演出部材５０と連係部材５４とに連結された各第２可動演出部材５１,５１は、第１可動演出部材５０の姿勢変位と連係部材５４の姿勢変位との作動により、該第１位置に対応する第３位置と第２位置に対応する第４位置との間を姿勢変位する際に、第１可動演出部材５０に対して相対的に移動するようになる。すなわち、第１可動演出部材５０が上下にスライド移動するのに対して各第２可動演出部材５１,５１は該第１可動演出部材５０に対して回転移動し、第１可動演出部材５０と各第２可動演出部材５１,５１とが異なる動きをするから、第１可動演出装置ＤＵ１の動作が複雑になって高い演出効果を得ることができる。
【００６４】
しかも前記第１可動演出装置ＤＵ１では、第１可動演出部材５０の上下のスライド移動に連動して回転部材５５が回転することで、該回転部材５５に設けた連係ピン９３が第１可動演出部材５０の第１位置から第２位置への移動方向と反対方向へ凸となる円弧状に移動するから、連係部材５４が該第１可動演出部材５０に対して相対的初期位置と相対的スライド位置との間を往復移動するようになっている。従って、各第２可動演出部材５１,５１は、第１可動演出部材５０に対する連係部材５４の相対的な往復移動により、第１可動演出部材５０に対して往復回転する。これにより、各第２可動演出部材５１,５１が第３位置と第４位置との間を姿勢変位する際に、第１可動演出部材５０に対して作動位置まで起立しながら往復回転するから、該第２可動演出部材５１,５１の姿勢変位量が大きくなって視覚効果が高まり、より高い演出効果が得られる。
【００６５】
更に、第２可動演出部材５１と連係部材５４とを連結する連結ピン９８が、前記支持軸７９を通り連係部材５４の移動方向と直交する方向に延在する軸線Ｌ１を横切って往復するよう構成されているので、該連係部材５４の姿勢変位に対する連結ピン９８の移動量が大きく設定されている。これにより、連結ピン９８の移動量が大きくなるので、第１可動演出部材５０に対する第２可動演出部材５１,５１の姿勢変位量を大きくすることができ、演出効果を好適に高めることができる。
【００６６】
また、前述したように、第１可動演出装置ＤＵ１を第２可動演出装置ＤＵ２の移動領域Ｓとオーバーラップする位置まで移動させ得ると共に、第２可動演出装置ＤＵ２も第１可動演出装置ＤＵ１とオーバーラップする位置まで移動させ得るから、両可動演出装置ＤＵ１,ＤＵ２の姿勢変位量(ストローク量)を大きく設定でき、各可動演出装置ＤＵ１,ＤＵ２を個別に姿勢変位させても高い演出効果を得ることができる。しかも、姿勢変位量(ストローク量)を大きく設定した第１可動演出装置ＤＵ１を第２姿勢へ姿勢変位させると共に第２可動演出装置ＤＵ２を第４姿勢へ姿勢変位させることもできるので、両可動演出装置ＤＵ１,ＤＵ２を同時または同期的に姿勢変位させることで、更に高い演出効果を得ることができる。
【００６７】
〔変更例〕
本発明に係る遊技機は、実施例に例示の形態に限らず種々の変更が可能である。
（１）第１可動演出装置ＤＵ１および第２可動演出装置ＤＵ２の配設位置は、実施例に例示の態様に限定されず、上下方向で対向する配設態様、左右方向で対向する配設態様、前後方向で対向する配設態様であってもよい。
（２）実施例では、第１可動演出装置ＤＵ１について、第１可動演出部材５０を上下にスライド移動する姿勢変位態様とすると共に、各第２可動演出部材５１,５１を該第１可動演出部材５０に対して回転移動する姿勢変位態様とした形態を例示したが、両可動演出部材５０,５１の姿勢変位態様はこれに限定されない。例えば、第１可動演出部材５０は、実施例と同様にベース部材５２に対してスライド移動するよう構成すると共に、第２可動演出部材５１は、第１可動演出部材５０に対してスライド移動するよう構成してもよい。また、第１可動演出部材５０は、ベース部材５２に対して回転変位するよう構成すると共に、第２可動演出部材５１は、実施例と同様に第１可動演出部材５０に対して回転移動するように構成してもよい。更に、第１可動演出部材５０は、ベース部材５２に対して回転変位するよう構成すると共に、第２可動演出部材５１は、第１可動演出部材５０に対してスライド移動するよう構成してもよい。なお、第１可動演出部材５０のスライド移動方向または回転移動方向や、第２可動演出部材５１の回転移動方向やスライド移動方向は、上下に限らず、左右、前後または斜め等であってもよい。
（３）第１可動演出装置ＤＵ１および第２可動演出装置ＤＵ２は、遊技盤Ｄの裏側に配設される設置部材４０に配設されて該遊技盤Ｄの遊技演出領域である表示窓口３４Ａに臨むものに限らず、遊技盤Ｄのその他の部分に配設されるもの、中枠Ｂや前枠Ｃ等に配設されるものであってもよい。
（４）第１可動演出装置ＤＵ１および第２可動演出装置ＤＵ２に配設される各駆動手段は、実施例に例示したステッピングモータ等の電動モータに限らず、流体を使用するアクチュエータや、ロータリーソレノイド等であってもよい。
（５）実施例では、遊技機としてのパチンコ機を示したが、遊技機はパチンコ機に限られるものではなく、アレンジボール機等であってもよい。
【符号の説明】
【００６８】
３４Ａ 表示窓口(遊技演出領域)，５０ 第１可動演出部材，５１ 第２可動演出部材
５３ 駆動モータ(駆動手段)，５４ 連係部材，５５ 回転部材，７９ 支持軸(支持部)
８６ 連係溝(被連係部)，９３ 連係ピン(連係部)，９８ 連結ピン(連結部)，Ａ 遊技盤
ＤＵ１ 第１可動演出装置，ＤＵ２ 第２可動演出装置，Ｓ 移動領域
【図１】
0005684662.tif 000002
【図２】
0005684662.tif 000003
【図３】
0005684662.tif 000004
【図４】
0005684662.tif 000005
【図５】
0005684662.tif 000006
【図６】
0005684662.tif 000007
【図７】
0005684662.tif 000008
【図８】
0005684662.tif 000009
【図９】
0005684662.tif 000010
【図１０】
0005684662.tif 000011
【図１１】
0005684662.tif 000012
【図１２】
0005684662.tif 000013
【図１３】
0005684662.tif 000014
【図１４】
0005684662.tif 000015
【図１５】
0005684662.tif 000016
【図１６】
0005684662.tif 000017
【図１７】
0005684662.tif 000018
【図１８】
0005684662.tif 000019